(57)【要約】【課題】  原稿送り装置を開閉のために回動可能に接続した原稿読み取り装置において、不要輻射電波の対策を減らすことができ、安価で、無駄な電力の消費を抑えることができるようにする。【解決手段】  原稿送り装置１１が原稿読み取り装置１に対して開状態（搬送不可能）にあることを検知して原稿送り装置１１への給電を停止することにより、原稿送り装置１１の筐体の接地が十分でないときに、原稿送り装置内部の原稿送り装置制御部１２から不要輻射電波を発生させないようにする。また、原稿送り装置１１が開状態（搬送不可能）のときに、原稿送り装置１１への給電を停止するようにし、消費電力を減らすようにする。【選択図】        図１
2005051743.tif 000002
【特許請求の範囲】
【請求項１】
原稿送り装置を回動可能に接続した原稿読み取り装置において、
前記原稿送り装置の開状態及び閉状態を検知する検知手段と、
前記検知手段の検知結果に基づいて、前記原稿送り装置の一部または全部を動作可能にさせる制御手段とを有することを特徴とする原稿読み取り装置。
【請求項２】
前記原稿送り装置への給電を制御する給電制御手段を更に有し、
前記制御手段は、前記検知手段が閉状態を検知しているとき、前記給電制御手段に前記原稿送り装置へ給電させ、前記検知手段が開状態を検知しているとき、前記給電制御手段に前記原稿送り装置への給電を停止させることを特徴とする請求項１記載の原稿読み取り装置。
【請求項３】
前記原稿送り装置により搬送される原稿を読み取る原稿読み取り手段が前記原稿送り装置内に設けられ、
前記制御手段は、前記検知手段が閉状態を検知しているとき、前記原稿読み取り手段の駆動を許可し、前記検知手段が開状態を検知しているとき、前記原稿読み取り手段の駆動を禁止することを特徴とする請求項１記載の原稿読み取り装置。
【請求項４】
前記検知手段は、前記原稿送り装置の所定の位置に設けられた第１の接点が前記原稿読み取り装置の所定の位置に設けられた第２の接点に接触しているとき、閉状態であると検知し、前記原稿送り装置の第１の接点が前記原稿読み取り装置の第２の接点に接触していないとき、開状態であると検知することを特徴とする請求項１記載の原稿読み取り装置。
【請求項５】
前記原稿送り装置の第１の接点は前記原稿送り装置の導電性の筐体に電気的に接続され、前記原稿読み取り装置の第２の接点には抵抗を介して電圧が印加されており、前記抵抗と前記第２の接点の間の電位は前記制御手段に入力され、前記制御手段は前記抵抗と前記第２の接点の間の電位に基づいて、前記第１の接点と前記第２の接点が接触しているか否か判別することを特徴とする請求項４記載の原稿読み取り装置。
【請求項６】
前記原稿送り装置の第１の接点に接触可能な第３の接点が前記原稿読み取り装置に設けられ、前記第３の接点は前記原稿読み取り装置の導電性の筐体に電気的に接続され、前記原稿送り装置の第１の接点と前記原稿読み取り装置の第３の接点が接触しているとき、前記原稿送り装置の第１の接点と前記原稿読み取り装置の第３の接点とは電気的に接続されることを特徴とする請求項５記載の原稿読み取り装置。
【発明の詳細な説明】
【技術分野】
【０００１】
本発明は、原稿送り装置を装着した原稿読み取り装置に関するものである。
【背景技術】
【０００２】
従来、原稿送り装置を回動可能に装着した原稿読み取り装置は、装置制御や原稿読み取りのためにデジタル回路を内蔵している。一般的に、これらのデジタル回路は不要な輻射電波を発生し、その不要輻射電波が強いと近接する他の機器を誤動作させる場合があるため、このような装置には不要輻射電波を抑えるための手段を講じている（例えば、特許文献１参照）。
【特許文献１】特開２００１−９２３１１号公報
【発明の開示】
【発明が解決しようとする課題】
【０００３】
上記不要輻射電波を抑える手法の一つとして、不要輻射電波の発生源を導体で包み込む方法があるが、この方法ではこの導体自身のアースが不十分な場合には、導体がアンテナになり、その結果、不要輻射電波を増幅してしまうという問題がある。この問題を解決するために、原稿送り装置が閉状態のときに原稿読み取り装置と原稿送り装置の筐体の接触を強化する機構を設けることにより、原稿送り装置のアース状態を高めることが提案されている。しかし、原稿送り装置が開状態のときは原稿送り装置のアース状態が閉状態より劣るため、原稿送り装置内のデジタル回路に不要輻射電波対策を施す必要がある。
【０００４】
従来の原稿送り装置を回動可能に装着した原稿読み取り装置にあっては、上記のように原稿送り装置の開状態のとき原稿送り装置のアース状態が劣るため、原稿送り装置内のデジタル回路に不要輻射電波対策を施すための追加部品や製造工程が増えてコストが高くなるという問題があった。
【０００５】
さらに、圧板モードで使用中には原稿送り装置が動作することはないにもかかわらず、原稿送り装置に電源が供給されているため、無駄な電力を消費してしまうという問題もあった。
【０００６】
本発明は、上記のような問題点に鑑みてなされたもので、不要輻射電波の対策を減らすことができ、安価で、無駄な電力の消費を抑えることができる原稿読み取り装置を提供することを目的としている。
【課題を解決するための手段】
【０００７】
上記目的を達成するために、本発明の原稿読み取り装置は、原稿送り装置を回動可能に接続した原稿読み取り装置において、前記原稿送り装置の開状態及び閉状態を検知する検知手段と、前記検知手段の検知結果に基づいて、前記原稿送り装置の一部または全部を動作可能にさせる制御手段とを備えた。
【０００８】
また、本発明の原稿読み取り装置は、上記の構成に対して次のように構成することができる。
【０００９】
前記原稿送り装置への給電を制御する給電制御手段を更に有し、前記制御手段は、前記検知手段が閉状態を検知しているとき、前記給電制御手段に前記原稿送り装置へ給電させ、前記検知手段が開状態を検知しているとき、前記給電制御手段に前記原稿送り装置への給電を停止させる。
【００１０】
前記原稿送り装置により搬送される原稿を読み取る原稿読み取り手段が前記原稿送り装置内に設けられ、前記制御手段は、前記検知手段が閉状態を検知しているとき、前記原稿読み取り手段の駆動を許可し、前記検知手段が開状態を検知しているとき、前記原稿読み取り手段の駆動を禁止する。
【００１１】
前記検知手段は、前記原稿送り装置の所定の位置に設けられた第１の接点が前記原稿読み取り装置の所定の位置に設けられた第２の接点に接触しているとき、閉状態であると検知し、前記原稿送り装置の第１の接点が前記原稿読み取り装置の第２の接点に接触していないとき、開状態であると検知する。
【００１２】
前記原稿送り装置の第１の接点は前記原稿送り装置の導電性の筐体に電気的に接続され、前記原稿読み取り装置の第２の接点には抵抗を介して電圧が印加されており、前記抵抗と前記第２の接点の間の電位は前記制御手段に入力され、前記制御手段は前記抵抗と前記第２の接点の間の電位に基づいて、前記第１の接点と前記第２の接点が接触しているか否か判別する。
【００１３】
前記原稿送り装置の第１の接点に接触可能な第３の接点が前記原稿読み取り装置に設けられ、前記第３の接点は前記原稿読み取り装置の導電性の筐体に電気的に接続され、前記原稿送り装置の第１の接点と前記原稿読み取り装置の第３の接点が接触しているとき、前記原稿送り装置の第１の接点と前記原稿読み取り装置の第３の接点とは電気的に接続される。
【発明の効果】
【００１４】
本発明によれば、コストを抑えて不要輻射電波の発生を抑えることが可能になる。
【００１５】
また、本発明によれば、無駄な電力の消費を抑えることができる。
【００１６】
また、本発明によれば、不要輻射電波の対策を減らすことができ、安価で、無駄な電力の消費を抑えることができるという効果がある。
【００１７】
すなわち、原稿送り装置が原稿読み取り装置に対して開状態（搬送不可能）にあることを検知して原稿送り装置への給電を停止することができ、原稿送り装置の筐体の接地が十分でないときに、原稿送り装置内部の原稿送り装置制御部から不要輻射電波を発生させないこととなり、原稿送り装置内のデジタル回路に施す不要輻射電波の対策を減らすことができるようになる。
【００１８】
さらに、原稿送り装置が開状態（搬送不可能）のときに、原稿送り装置への給電を停止することにより、消費電力を減らすことができる。
【発明を実施するための最良の形態】
【００１９】
以下、本発明の実施例を図面について説明する。
【００２０】
本発明の実施例にかかる原稿読み取り装置は、原稿読み取り装置本体に対して原稿送り装置が回動可能に支持されており、特に原稿読み取り装置本体のプラテンガラス上に操作者が手動で原稿を配置して光学的に読み取らせる圧板モードと、原稿送り装置の原稿載置部に置かれた原稿を該原稿送り装置が原稿読み取り装置の読み取り位置へ搬送して読み取りを行う自動原稿読み取りモードを有している。
【００２１】
図１は本発明の第１実施例の原稿読み取り装置のブロック図であり、原稿送り装置を開閉のために回動可能に接続した原稿読み取り装置の構成を示している。
【００２２】
同図において、１は原稿を光学的に読み取る原稿読み取り装置、２は原稿読み取り装置１内に配置され原稿読み取り装置１の動作を制御する原稿読み取り装置制御部、３は原稿読み取り装置１内に配置され不図示の電源にプルアップされた接点５を有する開閉検知センサで、対向するマグネットキャッチ１３と接しているかどうかを検知することにより原稿送り装置１１が原稿搬送可能状態にあるか否かを検知する。４は原稿読み取り装置１内に配置され原稿読み取り装置制御部２からの制御信号により不図示のＤＣ電源から供給される電源の原稿送り装置１１への供給を断続させる給電制御部である。
【００２３】
１１は原稿を原稿読み取り装置１へ搬送する上述の原稿送り装置、１２は原稿送り装置１１内に配置され原稿送り装置１１の動作を制御する原稿送り装置制御部、１３は原稿送り装置１１内に配置され原稿送り装置１１が閉じた状態で開閉検知センサ３に接触するマグネットキャッチである。マグネットキャッチ１３が有する金属片は、金属製のバネを介して、原稿送り装置１１の筐体のグランド端子に電気的に繋がっている、すなわち、アースされている。ここで言う、筐体は導電性のフレームである。
【００２４】
図２は上記開閉検知センサ３の構成を示すブロック図であり、（ａ）は原稿送り装置１１が開状態（搬送不可能状態）での開閉検知センサ３とマグネットキャッチ１３の関係を示し、（ｂ）は原稿送り装置１１が閉状態（搬送可能状態）での開閉検知センサ３とマグネットキャッチ１３の関係を示している。同図中、５は開閉検知センサ３の内部に周囲と絶縁されて存在する接点で、原稿送り装置１１が開状態のときはマグネットキャッチ１３と離れ（図２（ａ））、原稿送り装置１１が閉状態のときはマグネットキャッチ１３と接触している（図２（ｂ））。接点５には抵抗６を介して電圧Ｖが印加されている。接点５と抵抗６の間の電位は原稿読み取り装置制御部２へ入力されている。
【００２５】
図３及び図４は本実施例の原稿読み取り装置全体の外観構成を示す上面図（上視図）及び側面図であり、原稿送り装置１１が閉状態であるときの状態を示している。
【００２６】
また、図５は本実施例の原稿読み取り装置１を示す側面図であり、（ａ）は原稿送り装置１１が開状態であるときを示し、（ｂ）は原稿送り装置１１が閉状態のときを示している。同図中、２１は原稿読み取り装置１に対して原稿送り装置１１を回動可能に支持しているヒンジである。ヒンジ２１は導電性の部材からなり、原稿送り装置１１の筐体及び原稿読み取り装置１の筐体に取り付けられ、原稿送り装置１１の筐体と原稿読み取り装置１の筐体とを電気的に結合している。
【００２７】
上記のように構成された原稿読み取り装置１において、原稿送り装置１１が閉状態（原稿搬送可能状態）のときは、図２の（ｂ）に示すように開閉検知センサ３の接点５とマグネットキャッチ１３は接触し、開閉検知センサ３の出力は低レベル（Ｌ）になる。このとき、原稿読み取り装置制御部２は開閉検知センサ出力が低レベルの場合に原稿送り装置１１が原稿搬送可能と判断し、給電制御部４により原稿送り装置１１への給電を行わせる。
【００２８】
これにより、原稿送り装置制御部１２は活電状態になって不要輻射電波を発生させるが、原稿送り装置１１の筐体はマグネットキャッチ１３等により原稿読み取り装置１の筐体との接触が十分にとれているため、筐体外への不要輻射電波の強度は弱いものとなっている。
【００２９】
逆に、原稿送り装置１１が開状態（原稿搬送不可能状態）のときは、図２の（ａ）に示すように開閉検知センサ３の接点５とマグネットキャッチ１３は接触しておらず、開閉検知センサ３出力は高レベル（Ｈ）になる。このとき、原稿読み取り装置制御部２は開閉検知センサ出力が高レベルの場合に原稿送り装置１１が原稿搬送不可能と判断し、給電制御部４により原稿送り装置１１への給電を停止させる。
【００３０】
この状態では、原稿送り装置１１の筐体は図５の（ａ）示すようにヒンジ２１でのみ原稿読み取り装置１の筐体に接する状態となり、十分に接地された状態ではない。しかしながら、このとき原稿送り装置制御部１２は非活電状態であるため、不要輻射電波を発生しておらず、筐体外への不要輻射電波も存在しない。
【００３１】
このように、本実施例では、原稿送り装置１１が原稿読み取り装置１に対して開状態（原稿搬送不可能状態）にあることを検知して原稿送り装置１１への給電を停止することにより、原稿送り装置１１の筐体の接地が十分でないときに、原稿送り装置内部の原稿送り装置制御部１２から不要輻射電波を発生させないこととなり、原稿送り装置内のデジタル回路に施す不要輻射電波の対策を減らすことができるようになる。
【００３２】
さらに、原稿送り装置１１が開状態（原稿搬送不可能状態）のときに、原稿送り装置１１への給電を停止するため、消費電力を減らすことができる。このため、安価で、無駄な電力の消費を抑えた原稿読み取り装置１を構成することができる。
【００３３】
ここで、本実施例においては、開閉検知手段として、開閉検知センサ３とマグネットキャッチ１３の接触を使用したが、開閉状態が検知できるセンサであれば他の方式でも良い。
【００３４】
また、本発明は原稿送り装置１１及び原稿読み取り装置１の動作には無関係であるため、各装置の動作の詳細については省略する。
【００３５】
さらに、本実施例においては電源として不図示の電源から例えば直流２４Ｖが供給されている場合について説明したが、本発明はそれに限定されるものではなく、原稿読み取り装置１に交流が供給されて原稿読み取り装置内部で直流電源を作成する電源部を有していても良い。
【００３６】
また、上述の実施例では、検知手段である開閉検知センサ３は原稿送り装置１１が原稿を搬送可能な状態にあるか否かを検知し、原稿を搬送不可能な状態にあることが検知された場合に給電制御部４により原稿送り装置１１への給電を停止するようにしたが、原稿送り装置１１の原稿送り部がジャム状態である場合には給電制御部４により原稿送り装置１１への給電を停止しないようにしてもよい。
【００３７】
さらに、開閉検知センサ３は原稿送り装置１１が回動支持部を中心にして開いた状態か閉じた状態かを検知しているが、回動支持部を中心にして原稿送り装置１１が所定角度開いた状態を検知するようにしても良く、原稿送り装置１１が閉じた状態において該原稿送り装置１１と所定の部位が接触しているか否かを検知するようにしても良い。
【００３８】
あるいはまた、原稿送り装置１１の開閉に応じて断続する接点を有し、該接点は閉状態では接触して原稿送り装置１１へ給電し、開状態では非接触となり原稿送り装置１１への給電を停止する構成であっても良い。
【００３９】
そして、以上のような構成の原稿読み取り装置１は、前述のようにプラテンガラス上に載置された原稿を読み取り部が可動することにより読み取る構成を有し、原稿送り装置１１は原稿トレーに載置された原稿束を分離して上記プラテンガラス上へ搬送した後に停止させ、原稿の読み取りが終了すると該原稿を排紙部へ排紙する構成を有している。
【００４０】
また、上記プラテンガラス上に載置された原稿を読み取り部が可動することにより読み取る構成を原稿読み取り装置１に有し、原稿送り装置１１を使用する際には上記読み取り部は固定され、原稿送り装置１１は一定の速度で原稿を、上記読み取り部に対向するプラテンガラス面を搬送させ、原稿がプラテンガラス上を搬送される間に読み取り部により原稿を読み取るように構成しても良い。
【００４１】
なお、本発明の原稿読み取り装置は、原稿送り装置を開閉のために回動可能に接続した原稿読み取り装置において、前記原稿送り装置の動作状態を検知する検知手段と、該原稿送り装置への給電を制御する給電制御部を有し、前記検知手段の検知結果に応じて前記給電制御部を制御することが基本的な構成であるが、上述のように上記の構成に対して次のように構成することができる。
【００４２】
前記検知手段は原稿送り装置が原稿を搬送可能な状態にあるか否かを検知し、該検知手段により原稿を搬送不可能な状態にあることが検知された場合に給電制御部により前記原稿送り装置への給電を停止する。
【００４３】
前記検知手段は原稿送り装置が原稿を搬送可能な状態にあるか否かを検知し、該検知手段により原稿を搬送不可能な状態にあることが検知された場合に給電制御部により前記原稿送り装置への給電を停止し、該原稿送り装置がジャム状態である場合には前記給電制御部により該原稿送り装置への給電を停止しないようにする。
【００４４】
前記検知手段は原稿送り装置が回動支持部を中心にして開いた状態か閉じた状態かを検知する開閉検知手段であるようにする。
【００４５】
前記開閉検知手段は回動支持部を中心にして原稿送り装置が所定角度開いた状態を検知するようにする。
【００４６】
前記開閉検知手段は原稿送り装置が閉じた状態において該原稿送り装置と所定の部位が接触しているか否かを検知するようにする。
【００４７】
原稿送り装置を開閉のために回動可能に接続した原稿読み取り装置において、前記原稿送り装置の開閉に応じて断続する接点を有し、該接点は閉状態では接触して該原稿送り装置へ給電し、開状態では非接触となり該原稿送り装置への給電を停止する。
【００４８】
プラテンガラス上に載置された原稿を読み取り部が可動することにより読み取る構成を有し、原稿送り装置は原稿トレーに載置された原稿束を分離して前記プラテンガラス上へ搬送した後に停止させ、原稿の読み取りが終了すると該原稿を排紙部へ排紙する構成を有しているようにする。
【００４９】
プラテンガラス上に載置された原稿を読み取り部が可動することにより読み取る構成を有し、原稿送り装置を使用する際には前記読み取り部は固定され、該原稿送り装置は一定の速度で原稿を前記読み取り部に対向するプラテンガラス面を搬送するようにする。
【００５０】
本実施例によれば、不要輻射電波の対策を減らすことができ、安価で、無駄な電力の消費を抑えることができるという効果がある。
【００５１】
すなわち、原稿送り装置が原稿読み取り装置に対して開状態（原稿搬送不可能状態）にあることを検知して原稿送り装置への給電を停止することができ、原稿送り装置の筐体の接地が十分でないときに、原稿送り装置内部の原稿送り装置制御部から不要輻射電波を発生させないこととなり、原稿送り装置内のデジタル回路に施す不要輻射電波の対策を減らすことができるようになる。
【００５２】
さらに、原稿送り装置が開状態（原稿搬送不可能状態）のときに、原稿送り装置への給電を停止することにより、消費電力を減らすことができる。
【００５３】
次に、本発明の第２実施例の原稿読み取り装置について説明する。図６は本実施例による複写機、ＦＡＸ等の画像形成装置に組み込まれる原稿読み取り装置１の内部概略構成を示す断面図であり、原稿の両面が同時に読み取りが可能なように、原稿読み取り部２０等が原稿送り装置１１内に配置されている。本実施例の原稿読み取り装置の上視図及び側面図は図３及び図４と同様であるので説明を省略する。尚、前述した第１の実施例と同じように、原稿送り装置１１はヒンジ２１を介して原稿読み取り装置１にアースされている。
【００５４】
本実施例の原稿読み取り装置１は、原稿を移動させる原稿送り装置１１と、流し読み原稿台ガラス３２上を搬送される原稿の表面、あるいは、固定読み原稿台ガラス３９上に載置された原稿の表面の画像を読み取る第１の画像読み取り手段と、原稿を移動させながら原稿上の裏面の画像を読み取る第２の画像読み取り手段とを有しており、両面画像原稿の読み取り時には、画像読み取り手段の走査速度で原稿を搬送し、第１及び第２の画像読み取り手段により原稿の表面及び裏面の画像を読み取る。また、片面画像原稿の読み取り時には第１の画像読み取り手段だけで読み取る。
【００５５】
第１の読み取り手段は、原稿読み取り装置内１の露光部３３と原稿２３とを相対的に移動させながら読み取り、第２の読み取り手段は、原稿読み取り部２０と原稿２３とを相対的に移動させながら原稿上の情報を読み取る。原稿読み取り部２０は、不図示の光源となるＬＥＤアレイ、ロッドレンズアレイ及びＣＩＳ（コンタクトイメージセンサ）から構成されている。
【００５６】
原稿トレー２２にセットされた原稿２３は、分離パッド２５と、対になっている原稿給紙ローラ２４により１枚ずつ給送され、中間ローラ対２６、大ローラ２８、第１従動ローラ２９、第２従動ローラ３０により搬送が行われる。第１従動ローラ２９及び第２従動ローラ３０は大ローラ２８に対向して設けられている。
【００５７】
大ローラ２８と第２従動ローラ３０により搬送された原稿は、流し読み原稿台ガラス３２と原稿ガイド板３７の間を通り、ジャンプ台３８によって再び大ローラ２８と第３従動ローラ３１により搬送される。このとき、流し読み原稿台ガラス３２と原稿ガイド板３７の間では、原稿ガイド板３７により原稿２３は流し読み原稿台ガラス３２に接触する形で搬送される。
【００５８】
原稿２３は流し読み原稿台ガラス３２上を通過する際に、露光部３３により露光される。露光部３３は、原稿２３を露光することにより原稿２３から反射してくる原稿画像情報をミラーユニット３４に伝達し、レンズ３５を通過し集光されて画像読み取りセンサ部（ＣＣＤセンサ）３６にて電気信号に変換される。
【００５９】
以上の過程で、原稿２３の表面の画像が読み取られる。次に、大ローラ２８と第３従動ローラ３１により搬送された原稿２３は、原稿排紙ローラ対２７の方向へ搬送される過程で、原稿読み取り部２０によって裏面の画像が読み取られ、電気信号に変換された後、原稿読み取り装置１に送信される。その後、原稿２３は排紙ローラ対２７により原稿送り装置１１の外部に排紙される。
【００６０】
片面原稿の場合は原稿読み取り部２０による原稿画像の読み取りは行なわれず、そのまま原稿送り装置１１の外部に排紙される。
【００６１】
このように、両面原稿読み取り時には、ＣＩＳを用いた等倍光学系の原稿走査速度で、原稿読み取り装置１のＣＣＤセンサ３６及び原稿読み取り部２０のＣＩＳでの両面画像の同時読み取りを行い、片面原稿読み取り時には、ＣＣＤセンサを用いた縮小光学系の原稿走査速度で、原稿読み取り装置１のＣＣＤセンサ３６での画像読み取りを行うことで両面読み取り時よりも速い走査速度で片面画像を読み取ることができる。
【００６２】
また、読み取り対象原稿が片面画像原稿であるか両面画像原稿であるか指定されない場合に、第一枚目の原稿の読み取りはＣＩＳを用いた等倍光学系の原稿走査速度でＣＩＳ及びＣＣＤセンサを駆動して行い、一枚目の原稿が片面画像原稿であった場合には以後二枚目以降の原稿に対してＣＣＤセンサを用いた縮小光学系の走査速度でＣＣＤセンサを駆動して読み取りを行い、一枚目の原稿が両面画像原稿であった場合には以後二枚目以降の原稿に対しても引き続きＣＩＳを用いた等倍光学系の原稿走査速度でＣＣＤセンサ及びＣＩＳを駆動して読み取るようにしている。
【００６３】
かかる構成によれば、両面原稿読み取り時と片面画像読み取り時とで最適な原稿走査速度にて画像読み取りを行うことができるとともに、片面画像原稿であるか両面画像原稿であるか指定されない原稿を読み取る場合においても最適な原稿走査速度にて画像読み取りを行うことができ、生産性が高く、効率の良い画像読み取りが可能な画像読み取り装置及びその制御方法並びに画像形成装置を実現することができる。
【００６４】
原稿送り装置１１を用いない場合は、固定読み原稿台ガラス３９上に載置された原稿に対して、第１読み取り手段である露光部３３、ミラーユニット３４を移動させて、原稿画像情報を読み取り、レンズ３５を通過し集光されて画像読み取りセンサ部３６にて電気信号に変換する。
【００６５】
図７は本実施例の原稿読み取り装置のブロック図である。１は原稿を光学的に読み取る原稿読み取り装置、２は原稿読み取り装置１内に配置され原稿読み取り装置１の動作を制御する原稿読み取り装置制御部、１４は原稿読み取り装置１内に配置され不図示の電源にプルアップされた接点５を有する開閉検知センサ（開閉検知手段）で、対向するマグネットキャッチ１３と接しているかどうかを検知することにより原稿送り装置１１が原稿搬送可能状態にあるか否かを検知する。
【００６６】
開閉検知センサ１４は、図８に示すように接点５及び接点７を有している。接点５は開閉検知センサ１４の内部に周囲と絶縁されている。接点５には抵抗６を介して電圧Ｖが印加されている。接点５と抵抗６の間の電位は原稿読み取り装置制御部２へ入力されている。接点７は原稿読み取り装置１の筐体にアースされている。マグネットキャッチ１３が接点５に接触しているときには、マグネットキャッチ１３は接点７にも接触するよう構成され、かつ、マグネットキャッチ１３が接点７と離れているときには、マグネットキャッチ１３は接点５とも離れるよう構成されている。
【００６７】
４は原稿読み取り装置１内に配置され原稿読み取り装置制御部２からの制御信号により不図示のＤＣ電源から供給される電源の原稿送り装置１１への供給を断続させる給電制御部である。
【００６８】
１１は原稿を原稿読み取り装置１へ搬送する上述の原稿送り装置、１２は原稿送り装置１１内に配置され原稿送り装置１１の動作を制御する原稿送り装置制御部、２０は原稿読み取り部であり、原稿送り装置制御部１２を介して読み取られた画像データを原稿読み取り装置に送信する。
【００６９】
この原稿送り装置制御部１２はＣＰＵを有しており、このＣＰＵは、例えば２０ＭＨｚの高周波クロックにより動作し、さらにメモリやＩ／Ｏ等の周辺デバイスとデータの送受を行うため、不要輻射電波を発生する原因となり得る。特に、原稿送り装置１１が開けられた状態でＣＰＵが動作する場合には、原稿送り装置１１自身がアンテナとなりやすく、不要輻射電波の強度が高まる傾向がある。
【００７０】
また、原稿送り装置制御部１２に接続される原稿読み取り部２０は、原稿読み取り動作時に、ＣＰＵから入力されるクロックに同期して、画像読み取り、及び画像データ転送が行なわれる。このクロックは、例えば３０ＭＨｚの高周波クロックであり、このクロックを送信する伝送路、及びこのクロックに同期して転送される画像データの転送路からの不要輻射電波が発生しやすい。
【００７１】
通常、画像読み取りを行わない状態ではクロックを停止し、不要輻射電波が発生しないように考慮されており、意図的に原稿送り装置を開けられた状態では特に問題にはなりえない。
【００７２】
しかし、原稿送り装置１１が十分にアースされていない状態で、原稿送り装置１１により原稿読み取りが行われると、原稿送り装置１１がアンテナとなりやすく、原稿読み取り部２０に供給されるクロック、及びそのクロックに同期する画像データ転送に起因した不要輻射電波の強度が高まる傾向がある。
【００７３】
１３は原稿送り装置１１内に配置され、原稿送り装置１１が閉じた状態で開閉検知センサ１４に接触するマグネットキャッチである。マグネットキャッチ１３が有する金属片は、金属製のバネを介して、原稿送り装置１１の筐体にアースされている。マグネットキャッチ１３はバネにより支持されているので、マグネットキャッチ１３の接点５及び接点７に対向する面はある程度変位するように構成されている。従って、接点５の上面を接点７の上面よりもやや高めに設定しておけば、マグネットキャッチ１３が接点５に接触しているときは必ず、マグネットキャッチ１３は２つの接点７のいずれかに接触し、原稿送り装置１１の筐体と原稿読み取り装置１の筐体がマグネットキャッチ１３を介して電気的に結合する状態となる。
【００７４】
原稿送り装置１１が開状態（原稿搬送不可状態）のときは、開閉検知センサ１４の接点５とマグネットキャッチ１３は離れ、開閉検知センサ１４の出力は高レベル（Ｈ）になる。閉状態（原稿搬送可能状態）のときは、開閉検知センサ１４の接点５とマグネットキャッチ１３は接触し（図８（ｂ））、開閉検知センサ１４の出力は低レベル（Ｌ）になる。原稿読み取り装置制御部２は、開閉検知センサ出力が低レベルの場合には原稿送り装置１１が原稿搬送可能と判断し、給電制御部４により原稿送り装置１１への給電を行わせる。
【００７５】
これにより、原稿送り装置制御部１２は活電状態となり、ＣＰＵは高周波クロックにて動作する。さらに画像読み取り時には、画像読み取り用クロック及び画像データ転送用クロックを出力する。開閉検知センサ１４の出力が低レベルのときには、マグネットキャッチ１３は接点５は接触するとともに、接点７とも接触しており、原稿送り装置１１の筐体はマグネットキャッチ１３及び接点７を介して原稿読み取り装置１の筐体にアースされている。また、原稿送り装置１１の筐体はヒンジ２１を介して原稿読み取り装置１の筐体にアースされている。従って、原稿送り装置１１によるアンテナ効果は少なく、筐体外への不要輻射電波は抑えられ、他装置への誤動作に対する影響を抑えることができる。
【００７６】
原稿読み取り装置制御部２は、開閉検知センサ出力が高レベルの場合には原稿送り装置１１が原稿搬送不可能と判断し、給電制御部４による原稿送り装置１１への給電を停止させる。
【００７７】
このように本実施例によれば、原稿送り装置１１のマグネットキャッチ１３が設けられた側が原稿読み取り装置１にアースされていることを検知したときのみ、原稿送り装置１１への給電を行うので、原稿送り装置１１が見かけ上閉じているが、電気的には原稿送り装置１１のマグネットキャッチ１３が設けられた側がアースされていないときに、原稿送り装置１１のアンテナ効果により不要輻射電波が外に出てしまうことを防止できる。
【００７８】
本実施例によれば、不要輻射電波の対策を減らすことができ、安価で、無駄な電力の消費を抑えることができるという効果がある。
【００７９】
すなわち、原稿送り装置が原稿読み取り装置に対して開状態（原稿搬送不可能）にあることを検知して原稿送り装置への給電を停止することができ、原稿送り装置の筐体の接地が十分でないときに、原稿送り装置内部の原稿送り装置制御部、さらには画像読み取りセンサ部から不要輻射電波を発生させないこととなり、原稿送り装置内のデジタル回路に施す不要輻射電波の対策を減らすことができるようになる。
【００８０】
さらに、原稿送り装置が開状態（原稿搬送不可能）のときに、原稿送り装置への給電を停止することにより、消費電力を減らすことができる。
【００８１】
次に、本発明の第３実施例の原稿読み取り装置について説明する。図９は本実施例の原稿読み取り装置のブロック図である。第２実施例では、原稿送り装置が原稿読み取り装置に対して開状態にあることを検知したことに応じて原稿送り装置への給電を停止したが、本実施例では、原稿送り装置が原稿読み取り装置に対して開状態にあることを検知したことに応じて、原稿送り装置内の原稿読み取り部の駆動を禁止する。これ以外の点は第２実施例と同様である。
【００８２】
本実施例の原稿読み取り装置において、原稿送り装置１１が開状態のときは、開閉検知センサ１４の接点５とマグネットキャッチ１３は離れ、開閉検知センサ１４の出力は高レベル（Ｈ）になる。閉状態のときは、開閉検知センサ１４の接点５とマグネットキャッチ１３は接触し（図８（ｂ））、開閉検知センサ１４の出力は低レベル（Ｌ）になる。
【００８３】
原稿読み取り装置制御部２は、開閉検知センサ出力が低レベルの場合には、その他の原稿読み取り開始の条件が満たされたタイミングで、原稿送り装置制御部１２に対し原稿読み取り部２０を駆動させるための信号を出力する。すなわち、開閉検知センサ出力が低レベルのとき、原稿読み取り装置制御部２は、その他の原稿読み取り開始の条件が満たされる限り、原稿読み取り部２０の駆動を許可している
これにより、画像読み取り時には、原稿送り装置制御部１２は画像読み取り用クロック及び画像データ転送用クロックを原稿読み取り部２０に対し出力する。開閉検知センサ１４の出力が低レベルのときには、マグネットキャッチ１３は接点５は接触するとともに、接点７とも接触しており、原稿送り装置１１の筐体はマグネットキャッチ１３及び接点７を介して原稿読み取り装置１の筐体にアースされている。また、原稿送り装置１１の筐体はヒンジ２１を介して原稿読み取り装置１の筐体にアースされている。従って、原稿送り装置１１によるアンテナ効果は少なく、筐体外への不要輻射電波は抑えられ、他装置への誤動作に対する影響を抑えることができる。
【００８４】
原稿読み取り装置制御部２は、開閉検知センサ出力が高レベルの場合には、その他の原稿読み取り開始の条件が満たされたとしても、原稿送り装置制御部１２に対し原稿読み取り部２０を駆動させるための信号は出力しない。すなわち、開閉検知センサ出力が高レベルのとき、原稿読み取り装置制御部２は、原稿読み取り部２０の駆動を禁止している。
【００８５】
このように本実施例によれば、原稿送り装置１１のマグネットキャッチ１３が設けられた側が原稿読み取り装置１にアースされていることを検知したときのみ、原稿読み取り部２０の駆動を許可するので、原稿送り装置１１が見かけ上閉じているが、電気的には原稿送り装置１１のマグネットキャッチ１３が設けられた側がアースされていないときに、原稿送り装置１１のアンテナ効果により不要輻射電波が外に出てしまうことを防止できる。
【００８６】
なお、原稿読み取り装置制御部２が、開閉検知センサ出力が低レベルの場合には、原稿送り装置制御部１２に対し、原稿読み取り部２０の駆動を許可する信号を出力し、開閉検知センサ出力が高レベルの場合には、原稿送り装置制御部１２に対し、原稿読み取り部２０の駆動を禁止する信号を出力し、原稿送り装置制御部１２はこれらの許可信号及び禁止信号に基づいて、原稿送り装置１１内の原稿読み取り部２０の駆動を制御するようにしてもよい。
【図面の簡単な説明】
【００８７】
【図１】本発明の第１実施例の原稿読み取り装置のブロック図である。
【図２】第１実施例の開閉検知センサの構成を示すブロック図である。
【図３】原稿読み取り装置全体の外観形状を示す上面図である。
【図４】原稿読み取り装置全体の外観形状を示す側面図である。
【図５】原稿読み取り装置の使用形態を示す側面図である。
【図６】第２実施例の原稿読み取り装置の内部構成を示す側面図である。
【図７】第２実施例の原稿読み取り装置のブロック図である。
【図８】第２実施例の開閉検知センサの構成を示すブロック図である。
【図９】第３実施例の原稿読み取り装置のブロック図である。
【符号の説明】
【００８８】
１  原稿読み取り装置
２  原稿読み取り装置制御部
３  開閉検知センサ
４  給電制御部
５  接点
１１  原稿送り装置
１２  原稿送り装置制御部
１３  マグネットキャッチ
２１  ヒンジ
【図１】
2005051743.tif 000003
【図２】
2005051743.tif 000004
【図３】
2005051743.tif 000005
【図４】
2005051743.tif 000006
【図５】
2005051743.tif 000007
【図６】
2005051743.tif 000008
【図７】
2005051743.tif 000009
【図８】
2005051743.tif 000010
【図９】
2005051743.tif 000011